【手続補正書】
【提出日】平成24年10月1日(2012.10.1)
【手続補正１】
【補正対象書類名】特許請求の範囲
【補正対象項目名】全文
【補正方法】変更
【補正の内容】
【特許請求の範囲】
【請求項１】
ブロックコポリマーが、
（ａ）Ｃ１〜３０アルキル（メタ）アクリル単位を有する疎水性の第１のブロック（ただし、該Ｃ１〜３０アルキル（メタ）アクリル単位のアルキル基の炭素原子の平均合計数は少なくとも８個である）と、
（ｂ）非カルボニルヘテロ原子含有基をさらに有することで（メタ）アクリル単位に極性基を提供し、それによって該疎水性の第１のブロックよりも高い親水性を示す、該（メタ）アクリル単位を有する第２のブロックと
を含む、潤滑粘度の油と該ブロックコポリマーとを含む潤滑組成物を内燃機関に供給することを含む、内燃機関を潤滑する方法。
【請求項２】
前記内燃機関がフレキシブル燃料車エンジンである、請求項１に記載の方法。
【請求項３】
前記ブロックコポリマーが、
（ａ）Ｃ１〜３０アルキル（メタ）アクリル単位の少なくとも５０重量％がＣ１２〜１５アルキル（メタ）アクリル単位であり、該Ｃ１〜３０アルキル（メタ）アクリル単位の５０重量％までがＣ１６〜２０アルキル（メタ）アクリル単位であり、ただし、該Ｃ１〜３０アルキル（メタ）アクリル単位のアルキル基の炭素原子の平均合計数が少なくとも８個である、該Ｃ１〜３０アルキル（メタ）アクリル単位を有する疎水性の第１のブロックと、
（ｂ）ヘテロ原子基をさらに有することで極性基を提供する、（メタ）アクリル単位を有する第２のブロックと
を含む、前記請求項１から２のいずれかに記載の方法。
【請求項４】
前記ブロックコポリマーが、
（ａ）Ｃ１〜３０アルキル（メタ）アクリル単位の少なくとも７０重量％がＣ１２〜１５アルキル（メタ）アクリル単位であり、該Ｃ１〜３０アルキル（メタ）アクリル単位の３０重量％までがＣ１６〜２０アルキル（メタ）アクリル単位であり、ただし、該Ｃ１〜３０アルキル（メタ）アクリル単位のアルキル基の炭素原子の平均合計数は少なくとも８個である、該Ｃ１〜３０アルキル（メタ）アクリル単位を有する疎水性の第１のブロックと、
（ｂ）非カルボニルヘテロ原子含有基をさらに有することで（メタ）アクリル単位に極性基を提供し、それによって該疎水性の第１のブロックよりも高い親水性を示す、該（メタ）アクリル単位を有する第２のブロックと
を含む、前記請求項１から３のいずれかに記載の方法。
【請求項５】
前記ブロックコポリマーが、
（ａ）Ｃ１〜３０アルキル（メタ）アクリル単位の少なくとも８０重量％がＣ１２〜１５アルキル（メタ）アクリル単位であり、該Ｃ１〜３０アルキル（メタ）アクリル単位の２０重量％までがＣ１６〜２０アルキル（メタ）アクリル単位であり、ただし、該Ｃ１〜３０アルキル（メタ）アクリル単位のアルキル基の炭素原子の平均合計数は少なくとも８個である、該Ｃ１〜３０アルキル（メタ）アクリル単位を有する疎水性の第１のブロックと、
（ｂ）非カルボニルヘテロ原子含有基をさらに有することで（メタ）アクリル単位に極性基を提供し、それによって該疎水性の第１のブロックよりも高い親水性を示す、該（メタ）アクリル単位を有する第２のブロックと
を含む、前記請求項１から３のいずれかに記載の方法。
【請求項６】
前記第２のブロックの前記ヘテロ原子含有基が、硫黄、窒素、非カルボニル酸素、リン、またはそれらの混合物を含有する、前記請求項１から５のいずれかに記載の方法。
【請求項７】
前記第２のブロックの前記ヘテロ原子含有基が窒素を含有する、前記請求項１から６のいずれかに記載の方法。
【請求項８】
前記ヘテロ原子含有基が、ジメチルアミノエチルアクリレート、ジメチルアミノエチルメタクリレート、ジメチルアミノプロピルメタクリレート、ジメチルアミノプロピルアクリレート、ジメチルアミノプロピルアクリルアミド、ジメチルアミノプロピルメタクリルアミド、およびそれらの混合物からなる群から選択される窒素含有モノマーに由来する、前記請求項１から７のいずれかに記載の方法。
【請求項９】
前記ブロックコポリマーがメタクリレートポリマーである、前記請求項１から８のいずれかに記載の方法。
【請求項１０】
前記ブロックコポリマーが直鎖状ジブロックコポリマーである、前記請求項１から９のいずれかに記載の方法。
【請求項１１】
前記ブロックコポリマーが、制御ラジカル重合プロセスまたは他のリビング重合プロセスから得られる／得ることができる、前記請求項１から１０のいずれかに記載の方法。
【請求項１２】
前記制御ラジカル重合プロセスまたは他のリビング重合プロセスが、ＲＡＦＴ（可逆的付加開裂移動）、ＡＴＲＰ（原子移動ラジカル重合）、窒素酸化物媒介性、または陰イオン性のうちの１つである、請求項１１に記載の方法。
【請求項１３】
前記制御ラジカル重合プロセスがＲＡＦＴプロセスである、請求項１２に記載の方法。
【請求項１４】
（ａ）Ｃ１〜３０アルキル（メタ）アクリル単位の少なくとも５０重量％がＣ１２〜１５アルキル（メタ）アクリル単位であり、該Ｃ１〜３０アルキル（メタ）アクリル単位の５０重量％までがＣ１６〜２０アルキル（メタ）アクリル単位であり、ただし、該Ｃ１〜３０アルキル（メタ）アクリル単位のアルキル基の炭素原子の平均合計数が少なくとも８個である、該Ｃ１〜３０アルキル（メタ）アクリル単位を有する疎水性の第１のブロックと、
（ｂ）非カルボニルヘテロ原子含有基をさらに有することで（メタ）アクリル単位に極性基を提供し、それによって該疎水性の第１のブロックよりも高い親水性を示す、該（メタ）アクリル単位を有する第２のブロックと
を含む、潤滑粘度の油と該ブロックコポリマーとを含む潤滑組成物。
【請求項１５】
前記ブロックコポリマーが、
（ａ）Ｃ１〜３０アルキル（メタ）アクリル単位の少なくとも５０重量％がＣ１２〜１５アルキル（メタ）アクリル単位であり、該Ｃ１〜３０アルキル（メタ）アクリル単位の５０重量％までがＣ１６〜２０アルキル（メタ）アクリル単位であり、ただし、該Ｃ１〜３０アルキル（メタ）アクリル単位のアルキル基の炭素原子の平均合計数が少なくとも８個である、該Ｃ１〜３０アルキル（メタ）アクリル単位を有する疎水性の第１のブロックと、
（ｂ）ヘテロ原子含有基をさらに有することで極性基を提供する、（メタ）アクリル単位を有する第２のブロックと
を含む、請求項１４に記載の潤滑組成物。
【請求項１６】
前記ブロックコポリマーが、
（ａ）Ｃ１〜３０アルキル（メタ）アクリル単位の少なくとも７０重量％がＣ１２〜１５アルキル（メタ）アクリル単位であり、該Ｃ１〜３０アルキル（メタ）アクリル単位の３０重量％までがＣ１６〜２０アルキル（メタ）アクリル単位であり、ただし、該Ｃ１〜３０アルキル（メタ）アクリル単位のアルキル基の炭素原子の平均合計数が少なくとも８個である、該Ｃ１〜３０アルキル（メタ）アクリル単位を有する疎水性の第１のブロックと、
（ｂ）非カルボニルヘテロ原子含有基をさらに有することで（メタ）アクリル単位に極性基を提供し、それによって該疎水性の第１のブロックよりも高い親水性を示す、該（メタ）アクリル単位を有する第２のブロックと
を含む、請求項１４に記載の潤滑組成物。
【請求項１７】
前記ブロックコポリマーが、
（ａ）Ｃ１〜３０アルキル（メタ）アクリル単位の少なくとも８０重量％がＣ１２〜１５アルキル（メタ）アクリル単位であり、該Ｃ１〜３０アルキル（メタ）アクリル単位の２０重量％までがＣ１６〜２０アルキル（メタ）アクリル単位であり、ただし、該Ｃ１〜３０アルキル（メタ）アクリル単位のアルキル基の炭素原子の平均合計数が少なくとも８個である、該Ｃ１〜３０アルキル（メタ）アクリル単位を有する疎水性の第１のブロックと、
（ｂ）非カルボニルヘテロ原子含有基をさらに有することで（メタ）アクリル単位に極性基を提供し、それによって該疎水性の第１のブロックよりも高い親水性を示す、該（メタ）アクリル単位を有する第２のブロックと
を含む、請求項１４に記載の潤滑組成物。
【請求項１８】
前記第２のブロックのヘテロ原子含有基は、硫黄、窒素、非カルボニル酸素、リン、またはそれらの混合物を含む、請求項１４に記載の潤滑組成物。
【請求項１９】
前記第２のブロックのヘテロ原子含有基は、窒素を含む、請求項１４に記載の潤滑組成物。
【請求項２０】
前記ヘテロ原子含有基は、ジメチルアミノエチルアクリレート、ジメチルアミノエチルメタクリレート、ジメチルアミノプロピルメタクリレート、ジメチルアミノプロピルアクリレート、ジメチルアミノプロピルアクリルアミド、ジメチルアミノプロピルメタクリルアミド、およびそれらの混合物からなる群から選択される窒素含有モノマーに由来する、請求項１４に記載の潤滑組成物。
【請求項２１】
前記ブロックコポリマーがメタクリレートポリマーである、請求項１４に記載の潤滑組成物。
【請求項２２】
前記ブロックコポリマーが直鎖状ジブロックコポリマーである、請求項１４に記載の潤滑組成物。
【請求項２３】
ブロックコポリマーが、
（ａ）Ｃ１〜３０アルキル（メタ）アクリル単位の少なくとも５０重量％がＣ１２〜１５アルキル（メタ）アクリル単位であり、該Ｃ１〜３０アルキル（メタ）アクリル単位の５０重量％までがＣ１６〜２０アルキル（メタ）アクリル単位であり、ただし、該Ｃ１〜３０アルキル（メタ）アクリル単位のアルキル基の炭素原子の平均合計数が少なくとも８個である、該Ｃ１〜３０アルキル（メタ）アクリル単位を有する疎水性の第１のブロックと、
（ｂ）非カルボニルヘテロ原子含有基をさらに有することで（メタ）アクリル単位に極性基を提供し、それによって該疎水性の第１のブロックよりも高い親水性を示す、該（メタ）アクリル単位を有する第２のブロックと
を含む、潤滑剤における乳化剤および／または流動点降下剤としての該ブロックコポリマーの使用。
【請求項２４】
乳化剤および流動点降下剤としての、請求項２３に記載のブロックコポリマーの使用。
【手続補正２】
【補正対象書類名】明細書
【補正対象項目名】００３８
【補正方法】変更
【補正の内容】
【００３８】
ブロックコポリマーは、本明細書中に開示した潤滑組成物の０．０１重量％〜０．５重量％、または０．０５〜０．３重量％で使用し得る。
例えば、本発明は以下を提供する。
（項目１）
ブロックコポリマーが、
（ａ）Ｃ１〜３０アルキル（メタ）アクリル単位を有する疎水性の第１のブロック（ただし、該Ｃ１〜３０アルキル（メタ）アクリル単位のアルキル基の炭素原子の平均合計数は少なくとも８個である）と、
（ｂ）非カルボニルヘテロ原子含有基をさらに有することで（メタ）アクリル単位に極性基を提供し、それによって該疎水性の第１のブロックよりも高い親水性を示す、該（メタ）アクリル単位を有する第２のブロックと
を含む、潤滑粘度の油と該ブロックコポリマーとを含む潤滑組成物を内燃機関に供給することを含む、内燃機関を潤滑する方法。
（項目２）
前記内燃機関がフレキシブル燃料車エンジンである、項目１に記載の方法。
（項目３）
前記ブロックコポリマーが、
（ａ）Ｃ１〜３０アルキル（メタ）アクリル単位の少なくとも５０重量％がＣ１２〜１５アルキル（メタ）アクリル単位であり、該Ｃ１〜３０アルキル（メタ）アクリル単位の５０重量％までがＣ１６〜２０アルキル（メタ）アクリル単位であり、ただし、該Ｃ１〜３０アルキル（メタ）アクリル単位のアルキル基の炭素原子の平均合計数が少なくとも８個である、該Ｃ１〜３０アルキル（メタ）アクリル単位を有する疎水性の第１のブロックと、
（ｂ）ヘテロ原子基をさらに有することで極性基を提供する、（メタ）アクリル単位を有する第２のブロックと
を含む、前記項目１から２のいずれかに記載の方法。
（項目４）
前記ブロックコポリマーが、
（ａ）Ｃ１〜３０アルキル（メタ）アクリル単位の少なくとも７０重量％がＣ１２〜１５アルキル（メタ）アクリル単位であり、該Ｃ１〜３０アルキル（メタ）アクリル単位の３０重量％までがＣ１６〜２０アルキル（メタ）アクリル単位であり、ただし、該Ｃ１〜３０アルキル（メタ）アクリル単位のアルキル基の炭素原子の平均合計数は少なくとも８個である、該Ｃ１〜３０アルキル（メタ）アクリル単位を有する疎水性の第１のブロックと、
（ｂ）非カルボニルヘテロ原子含有基をさらに有することで（メタ）アクリル単位に極性基を提供し、それによって該疎水性の第１のブロックよりも高い親水性を示す、該（メタ）アクリル単位を有する第２のブロックと
を含む、前記項目１から３のいずれかに記載の方法。
（項目５）
前記ブロックコポリマーが、
（ａ）Ｃ１〜３０アルキル（メタ）アクリル単位の少なくとも８０重量％がＣ１２〜１５アルキル（メタ）アクリル単位であり、該Ｃ１〜３０アルキル（メタ）アクリル単位の２０重量％までがＣ１６〜２０アルキル（メタ）アクリル単位であり、ただし、該Ｃ１〜３０アルキル（メタ）アクリル単位のアルキル基の炭素原子の平均合計数は少なくとも８個である、該Ｃ１〜３０アルキル（メタ）アクリル単位を有する疎水性の第１のブロックと、
（ｂ）非カルボニルヘテロ原子含有基をさらに有することで（メタ）アクリル単位に極性基を提供し、それによって該疎水性の第１のブロックよりも高い親水性を示す、該（メタ）アクリル単位を有する第２のブロックと
を含む、前記項目１から３のいずれかに記載の方法。
（項目６）
前記第２のブロックの前記ヘテロ原子含有基が、硫黄、窒素、非カルボニル酸素、リン、またはそれらの混合物を含有する、前記項目１から５のいずれかに記載の方法。
（項目７）
前記第２のブロックの前記ヘテロ原子含有基が窒素を含有する、前記項目１から６のいずれかに記載の方法。
（項目８）
前記ヘテロ原子含有基が、ジメチルアミノエチルアクリレート、ジメチルアミノエチルメタクリレート、ジメチルアミノプロピルメタクリレート、ジメチルアミノプロピルアクリレート、ジメチルアミノプロピルアクリルアミド、ジメチルアミノプロピルメタクリルアミド、およびそれらの混合物からなる群から選択される窒素含有モノマーに由来する、前記項目１から７のいずれかに記載の方法。
（項目９）
前記ブロックコポリマーがメタクリレートポリマーである、前記項目１から８のいずれかに記載の方法。
（項目１０）
前記ブロックコポリマーが直鎖状ジブロックコポリマーである、前記項目１から９のいずれかに記載の方法。
（項目１１）
前記ブロックコポリマーが、制御ラジカル重合プロセスまたは他のリビング重合プロセスから得られる／得ることができる、前記項目１から１０のいずれかに記載の方法。
（項目１２）
前記制御ラジカル重合プロセスまたは他のリビング重合プロセスが、ＲＡＦＴ（可逆的付加開裂移動）、ＡＴＲＰ（原子移動ラジカル重合）、窒素酸化物媒介性、または陰イオン性のうちの１つである、項目１１に記載の方法。
（項目１３）
前記制御ラジカル重合プロセスがＲＡＦＴプロセスである、項目１２に記載の方法。
（項目１４）
（ａ）Ｃ１〜３０アルキル（メタ）アクリル単位の少なくとも５０重量％がＣ１２〜１５アルキル（メタ）アクリル単位であり、該Ｃ１〜３０アルキル（メタ）アクリル単位の５０重量％までがＣ１６〜２０アルキル（メタ）アクリル単位であり、ただし、該Ｃ１〜３０アルキル（メタ）アクリル単位のアルキル基の炭素原子の平均合計数が少なくとも８個である、該Ｃ１〜３０アルキル（メタ）アクリル単位を有する疎水性の第１のブロックと、
（ｂ）非カルボニルヘテロ原子含有基をさらに有することで（メタ）アクリル単位に極性基を提供し、それによって該疎水性の第１のブロックよりも高い親水性を示す、該（メタ）アクリル単位を有する第２のブロックと
を含む、潤滑粘度の油と該ブロックコポリマーとを含む潤滑組成物。
（項目１５）
ポリマーが、
（ａ）Ｃ１〜３０アルキル（メタ）アクリル単位の少なくとも５０重量％がＣ１２〜１５アルキル（メタ）アクリル単位であり、該Ｃ１〜３０アルキル（メタ）アクリル単位の５０重量％までがＣ１６〜２０アルキル（メタ）アクリル単位であり、ただし、該Ｃ１〜３０アルキル（メタ）アクリル単位のアルキル基の炭素原子の平均合計数が少なくとも８個である、該Ｃ１〜３０アルキル（メタ）アクリル単位を有する疎水性の第１のブロックと、
（ｂ）非カルボニルヘテロ原子含有基をさらに有することで（メタ）アクリル単位に極性基を提供し、それによって該疎水性の第１のブロックよりも高い親水性を示す、該（メタ）アクリル単位を有する第２のブロックと
を含む、潤滑剤における乳化剤および／または流動点降下剤としてのブロックコポリマーの使用。
（項目１６）
乳化剤および流動点降下剤としての、項目１５に記載のブロックコポリマーの使用。